(57)【要約】【課題】より薄型化を達成することができる壁面取付用リモコンを提供する。【解決手段】壁面取付用リモコンは、リモコン本体２０とブラケット４０とを備えている。リモコン本体２０は、電源である電池１０を取り換え可能に収納する電池収納部３０を有する。ブラケット４０は、リモコン本体２０を着脱自在に装着する装着面４１と、壁面Ｗに取り付けられる際に壁面Ｗに対向する取付面４２とを有する。リモコン本体２０は、電池収納部３０を後方に向けて開放する開口３１を有し、開口３１を開放したままブラケット４０に装着可能である。開口３１が形成されたリモコン本体４０の背面２１、２２は、電池収納部３０に収納された電池１０の外周面の最後端面１１と面一に形成されている。【選択図】図１
2009152945.tif 000002
【特許請求の範囲】
【請求項１】
電源である電池を取り換え可能に収納する電池収納部を有するリモコン本体と、
該リモコン本体を着脱自在に装着する装着面と、壁面に取り付けられる際に該壁面に対向する取付面とを有するブラケットとを備えた壁面取付用リモコンにおいて、
前記リモコン本体は、前記電池収納部を後方に向けて開放する開口を有し、該開口を開放したまま前記ブラケットに装着可能であり、
該開口が形成された該リモコン本体の背面は、該電池収納部に収納された前記電池の外周面の最後端面と面一に形成されていることを特徴とする壁面取付用リモコン。
【請求項２】
前記リモコン本体は前記ブラケットに装着された際に前記装着面と重なる第１背面を有し、該第１背面に前記開口が形成されている請求項１記載の壁面取付用リモコン。
【請求項３】
前記リモコン本体は、前記ブラケットに装着された際に前記装着面と重なる第１背面と、該装着面と重ならない第２背面とを有し、該第２背面に前記開口が形成され、
該第２背面は、前記第１背面より該リモコン本体の後方側に位置し、該リモコン本体が該ブラケットに装着された際には前記取付面と面一となるように形成されている請求項１記載の壁面取付用リモコン。
【請求項４】
前記リモコン本体の前面を形成する前板の裏面には、前記電池収納部の電池保持部が形成されている請求項１乃至３のいずれか１項記載の壁面取付用リモコン。
【発明の詳細な説明】
【技術分野】
【０００１】
本発明は壁面取付用リモコンに関する。
【背景技術】
【０００２】
特許文献１に従来の壁面取付用リモコンが開示されている。このリモコンは、電源である電池を取り換え可能に収納する電池収納部を有するリモコン本体を備えている。また、このリモコンは、リモコン本体を着脱自在に装着する装着面と、壁面に取り付けられる際に壁面に対向する取付面とを有するブラケットを備えている。リモコン本体は、電池収納部を後方に向けて開放する開口と、この開口を閉じる電池カバーとを有している。電池カバーにより開口を閉じることができるため、電池収納部に収納された電池が開口から不意に飛び出してしまうことがない。このため、このリモコン本体は、ブラケットから取り外しても使用することができる。
【０００３】
【特許文献１】特開２００５−２０４２７１号公報
【発明の開示】
【発明が解決しようとする課題】
【０００４】
ところで、壁面取付用リモコンが壁面に取り付けられた際、リモコンの壁面からの突出量を少なくすることにより、使用者の移動の邪魔にならず、また、使用者に壁面がすっきりした印象を与えることができる。このため、リモコンの薄型化が図られている。しかし、上記従来の壁面取付用リモコンでは、電池より後方側に電池カバー及びブラケットが存在するため、電池より後方側がそれらの厚さ分だけ厚くなっている。
【０００５】
本発明は、上記従来の実情に鑑みてなされたものであって、より薄型化を達成することができる壁面取付用リモコンを提供することを解決すべき課題としている。
【課題を解決するための手段】
【０００６】
本発明の壁面取付用リモコンは、電源である電池を取り換え可能に収納する電池収納部を有するリモコン本体と、
該リモコン本体を着脱自在に装着する装着面と、壁面に取り付けられる際に該壁面に対向する取付面とを有するブラケットとを備えた壁面取付用リモコンにおいて、
前記リモコン本体は、前記電池収納部を後方に向けて開放する開口を有し、該開口を開放したまま前記ブラケットに装着可能であり、
該開口が形成された該リモコン本体の背面は、該電池収納部に収納された前記電池の外周面の最後端面と面一に形成されていることを特徴とする。
【０００７】
このリモコンでは、開口が形成されたリモコン本体の背面が電池収納部に収納された電池の外周面の最後端面と面一に形成され、かつ開口を開放したままブラケットに装着される。このため、このリモコンでは、電池より後方側にはブラケットのみが存在し得るため、電池より後方側のリモコンの厚さを薄くすることができる。
【０００８】
したがって、本発明の壁面取付用リモコンは、より薄型化を達成することができる。
【０００９】
リモコン本体はブラケットに装着された際に装着面と重なる第１背面を有し、第１背面に開口が形成され得る。この場合、開口がブラケットに覆われるため、電池収納部内に埃等が入ることを防止することができる。
【００１０】
リモコン本体は、ブラケットに装着された際に装着面と重なる第１背面と、装着面と重ならない第２背面とを有し、第２背面に開口が形成され、第２背面は、第１背面よりリモコン本体の後方側に位置し、リモコン本体がブラケットに装着された際には取付面と面一となるように形成され得る。この場合、ブラケットの取付面と電池収納部に収納された電池の外周面の最後端面とが面一になるため、リモコンの厚さをより薄くすることができる。
【００１１】
リモコン本体の前面を形成する前板の裏面には、電池収納部の電池保持部が形成され得る。この場合、前板が電池収納部の電池保持部を兼ねるため、電池収納部に収納された電池より前方側には、前板のみが存在する。このため、リモコンの厚さをより薄くすることができる。
【発明を実施するための最良の形態】
【００１２】
以下、本発明の壁面取付用リモコンの実施例１及び２を図面を参照しつつ説明する。
【実施例１】
【００１３】
図１に示すように、実施例１の壁面取付用リモコンは、電源である電池１０を取り換え可能に収納する電池収納部３０を有するリモコン本体２０を備えている。このリモコン本体２０は、前面に表示部２５、操作ダイヤル２６、及び複数の操作スイッチ２７を有している。
【００１４】
また、このリモコンは、リモコン本体２０を着脱自在に装着する装着面４１と、壁面Ｗに取り付けられる際に壁面Ｗに対向する取付面４２とを有するブラケット４０を備えている。ブラケット４０の左右両端及び下端には、前方に向けて屈曲する屈曲片４３が形成されている。左右の屈曲片４３の前端には、内側に向けて屈曲する係止爪４４が上下に２つずつ形成されている。ブラケット４０は、横長楕円形状の取付孔４５を貫通する木螺子Ｂにより、壁面Ｗに取り付けられる。
【００１５】
図２に示すように、リモコン本体２０は、ブラケット４０に装着された際に装着面４１と重なる第１背面２１と、装着面４１に重ならない第２背面２２とを有している。第２背面２２は、第１背面２１よりリモコン本体２０の後方側に位置している。第１背面２１の左右両端には、ブラケット４０の係止爪４４に係合する溝２４が形成されている。第１背面２１には、電池収納部３０を後方に向けて開放する開口３１が形成されている。図１に示すように、リモコン本体２０は、溝２４を壁面Ｗに取り付けられたブラケット４０の係止爪４４に係止させながら、上方から下方に向けてスライドさせることにより、ブラケット４０に着脱自在に装着される。
【００１６】
図３に示すように、開口３１が形成された第１背面２１は、電池収納部３０に収納された電池１０の外周面の最後端面１１と面一に形成されている。このため、電池収納部３０に収納された電池１０より後方側には、ブラケット４０を第１背面２１及び電池１０の外周面の最後端面１１に接するように位置させることができ、余分な厚みが生じない。
【００１７】
したがって、実施例１の壁面取付用リモコンは、より薄型化を達成することができる。
【００１８】
また、第１背面２１がブラケット４０の装着面４１に接するようにリモコン本体２０をブラケット４０に装着されている。このため、リモコンをより薄くすることができるとともに、開口３１がブラケット４０により覆われるため、電池収納部３０内に埃等が入ることを防止することができる。
【００１９】
また、リモコン本体２０の前面を形成する前板２３の裏面には、電池１０を保持するように電池１０の側面形状に合わせて突出する電池保持部３２が形成されている。このため、前板２３が電池収納部３０の電池保持部３０を兼ねるため、電池収納部３０に収納された電池１０の前方側には、前板２３のみが存在することになる。よって、リモコンをより薄くすることができる。
【００２０】
また、リモコンの厚さが厚くならないように、電子基板等の電子部品５０は、電池収納部３０の前後方向で重ならないようにリモコン本体２０内に収納されている。
【実施例２】
【００２１】
実施例２の壁面取付用リモコンは、図４に示すように、電池収納部３０を後方に向けて開放する開口３１がリモコン本体２００の第２背面２２に形成されている点を除き、実施例１と同じ構成を有する。実施例１と同一の構成については同一の符号を付して詳細な説明は省略する。
【００２２】
実施例２の壁面取付用リモコンでは、図５に示すように、開口３１が形成された第２背面２２が電池収納部３０に収納された電池１０の外周面の最後端面１１と面一に形成されている。このため、電池収納部３０に収納された電池１０より後方側には全く厚みを有さない。
【００２３】
したがって、実施例２の壁面取付用リモコンは、さらに薄型化を達成することができる。
【００２４】
以上において、本発明を実施例１、２に即して説明したが、本発明は上記実施例に制限されるものではなく、その趣旨に逸脱しない範囲で適宜変更して適用できることはいうまでもない。
【００２５】
例えば、ブラケット４０の装着面４１がリモコン本体２０、２００の背面全体に重なる程度の大きさにブラケット４０を形成してもよい。この場合、リモコン本体２０、２００を壁面Ｗに強固に取り付けることができる。
【００２６】
また、電池１０が縦置きされるように、電池収納部３０を形成してもよい。
【産業上の利用可能性】
【００２７】
本発明はトイレルームの壁面に取り付けられ、局部洗浄装置等の便器装置を操作するリモコンに利用可能である。
【図面の簡単な説明】
【００２８】
【図１】実施例１の壁面取付用リモコンの斜視図である。
【図２】実施例１の壁面取付用リモコンのリモコン本体の斜視図である。
【図３】実施例１の壁面取付用リモコンの断面図である。
【図４】実施例２の壁面取付用リモコンのリモコン本体の斜視図である。
【図５】実施例２の壁面取付用リモコンの断面図である。
【符号の説明】
【００２９】
１０…電池
１１…最後端面
２０、２００…リモコン本体
２１、２２…背面（２１…第１背面、２２…第２背面）
３０…電池収納部
３１…開口
３２…電池保持部
４０…ブラケット
４１…装着面
４２…取付面
Ｗ…壁面
【図１】
2009152945.tif 000003
【図２】
2009152945.tif 000004
【図３】
2009152945.tif 000005
【図４】
2009152945.tif 000006
【図５】
2009152945.tif 000007